(57)【要約】【課題】部材を取り付けやすくしたスロットアレイアンテナを提供する。【解決手段】スロットアレイアンテナ１は、部材が取り付けられる取付面とそれに垂直な放射面４２とを表面に有した導電性ボディ１０と、放射面４２下に形成されたキャビティ４８と、放射面４２に形成され、キャビティ４８に通じた複数の放射スロット４７と、一方の端部が前記取付面において開口し、その開口から放射面４２に対して平行な方向に延設されるよう導電性ボディ１０の内部に形成された第１の中空導波路２４，３４と、第１の中空導波路２４，３４の他方の端部から放射面４２に向かってキャビティ４８まで延設されるよう導電性ボディ１０の内部に形成された第２の中空導波路４６と、を備える。【選択図】図９
2019220769.tif 000002
【特許請求の範囲】
【請求項１】
部材が取り付けられる取付面とそれに垂直な放射面とを表面に有した導電性ボディと、
前記放射面下において前記導電性ボディの内部に形成されたキャビティと、
前記放射面に形成され、前記キャビティに通じた複数の放射スロットと、
一方の端部が前記取付面において開口し、その開口から前記放射面に対して平行な方向に延設されるよう前記導電性ボディの内部に形成された第１の中空導波路と、
前記第１の中空導波路の他方の端部から前記放射面に向かって前記キャビティまで延設されるよう前記導電性ボディの内部に形成された第２の中空導波路と、を備えるスロットアレイアンテナ。
【請求項２】
一対の導電性突出部が前記キャビティの互いに対向する側面から互いに向かい合う方向に突出する
請求項１に記載のスロットアレイアンテナ。
【請求項３】
前記導電性ボディが、前記放射面を有するとともに前記放射面の反対側の表面に凹部が形成された板状の導体部材と、前記凹部に覆い被さるように前記凹部が形成された前記導体部材の表面に接合されることによって前記凹部を前記キャビティに形成するとともに、前記取付面を有する導電性本体部と、を有し、
前記第１の中空導波路の一方の端部が前記取付面において開口し、前記第１の中空導波路がその開口から前記取付面に対して垂直な方向に延設されるよう前記導電性本体部の内部に形成され、
前記第２の中空導波路が前記第１の中空導波路の他方の端部から前記導電性本体部の前記導体部材との接合面に向かって延設されるよう前記導電性本体部の内部に形成され、
前記第２の中空導波路の前記キャビティに近い方の端部が前記キャビティ内において前記導電性本体部の前記導体部材との接合面に開口する
請求項１に記載のスロットアレイアンテナ。
【請求項４】
一対の導電性突出部が前記凹部の互いに対向する側面から互いに向かい合う方向に突出する
請求項３に記載のスロットアレイアンテナ。
【請求項５】
前記一対の導電性突出部が前記導電性本体部に接触する
請求項４に記載のスロットアレイアンテナ。
【請求項６】
前記導電性本体部が、前記放射面の反対側の前記導体部材の表面に接合される第２の導体部材と、前記第２の導体部材に関して前記導体部材の反対側において前記第２の導体部材に接合される第３の導体部材と、を有し、
一対の溝が前記第２の導体部材と前記第３の導体部材のそれぞれの接合面に凹設され、
前記一対の溝の各々が互いに向き合った状態で前記第２の導体部材と前記第３の導体部材が接合されることによって前記一対の溝が前記第１の中空導波路となる
請求項３から５の何れか一項に記載のスロットアレイアンテナ。
【請求項７】
前記一対の溝の各々が断面矩形状であり、前記一対の溝の各々の幅が互いに等しく、前記一対の溝の各々の深さが互いに等しく、前記一対の各々の溝の深さは前記一対の溝の各々の幅の２分の１よりも大きい
請求項６に記載のスロットアレイアンテナ。
【請求項８】
前記第２の中空導波路が前記一対の溝のうち前記第２の導体部材の前記接合面に形成された溝の底から前記第２の導体部材と前記導体部材との接合面まで貫通している
請求項６又は７に記載のスロットアレイアンテナ。
【発明の詳細な説明】
【技術分野】
【０００１】
本発明は、スロットアレイアンテナに関する。
【背景技術】
【０００２】
特許文献１には、複数枚の導体板（２〜７）を積層することによって製造されたスロットアレイアンテナ（１）が開示されている。最上層の導体板（２）には、１６×１６のスロット（２ａ）が格子状に形成されている。上から２層目の導体板（３）には、８×８のキャビティ（３ａ）が格子状に穿設されている。上から３層目の導体板（４）には、８×８の結合スロット（４ａ）が格子状に穿設されている。上から４層目の導体板（５）には、４×４の所定形状のスリット（５ａ）が穿設されている。上から５層目の導体板（６）には、２×２の結合スロット（６ａ）が穿設されている。最下層の導体板（７）には、１×１の所定形状のスリット（７ａ）が穿設されている。導体板（２〜７）が積層されることで、スリット（７ａ，６ａ）が中空導波路となり、キャビティ（３ａ）が空洞となる。高周波電力がスリット（７ａ）に供給されると、その高周波電力がスリット（７ａ）によって結合スロット（６ａ）に分配される。スリット（７ａ）から結合スロット（６ａ）を通じてスリット（５ａ）に供給された高周波電力はスリット（５ａ）によって結合スロット（４ａ）に分配される。スリット（５ａ）から結合スロット（４ａ）を通じてキャビティ（３ａ）に供給された高周波電力はキャビティ（３ａ）によってスロット（２ａ）に分配される。
【０００３】
このスロットアレイアンテナ（１）の導体板（７）には、外部機器とのインターフェースとなる導波管入力部が接続される。具体的には、導波管入力部をスリット（７ａ）の端部に接続して、その導波管入力部をスロットアレイアンテナ（１）に、特にスリット（７ａ）の端部のある側端面に取り付ける。ところが、スロットアレイアンテナ（１）が薄いため、導波管入力部をスロットアレイアンテナ（１）に取り付けることが難しい。
【先行技術文献】
【特許文献】
【０００４】
【特許文献１】特開２０１４−１７０９８９号公報
【発明の概要】
【発明が解決しようとする課題】
【０００５】
そこで、本発明は、上記事情に鑑みてなされたものであって、導波管入力部等の部材を取り付けやすくしたスロットアレイアンテナを提供することを目的とする。
【課題を解決するための手段】
【０００６】
上記目的を達成するための主たる発明は、部材が取り付けられる取付面とそれに垂直な放射面とを表面に有した導電性ボディと、前記放射面下において前記導電性ボディの内部に形成されたキャビティと、前記放射面に形成され、前記キャビティに通じた複数の放射スロットと、一方の端部が前記取付面において開口し、その開口から前記放射面に対して平行な方向に延設されるよう前記導電性ボディの内部に形成された第１の中空導波路と、前記第１の中空導波路の他方の端部から前記放射面に向かって前記キャビティまで延設されるよう前記導電性ボディの内部に形成された第２の中空導波路と、を備えるスロットアレイアンテナである。
【０００７】
本発明の他の特徴については、後述する明細書及び図面の記載により明らかにする。
【発明の効果】
【０００８】
本発明の実施形態によれば、取付面を大きくすることができ、取付面に部材を取り付けやすい。
【図面の簡単な説明】
【０００９】
【図１】スロットアレイアンテナの斜視図である。
【図２】スロットアレイアンテナを俯瞰した分解斜視図である。
【図３】スロットアレイアンテナを下から見た分解斜視図である。
【図４】下層の導体部材の上面図である。
【図５】中間層の導体部材の下面図である。
【図６】中間層の導体部材の上面図である。
【図７】上層の導体部材の下面図である。
【図８】上層の導体部材の上面図である。
【図９】スロットアレイアンテナの縦断面図である。
【図１０】第１の中空導波路の延設方向に対して垂直な面の断面図である。
【発明を実施するための形態】
【００１０】
後述する実施の形態の記載から、少なくとも以下の事項が明らかとなる。
【００１１】
部材が取り付けられる取付面とそれに垂直な放射面とを表面に有した導電性ボディと、前記放射面下において前記導電性ボディの内部に形成されたキャビティと、前記放射面に形成され、前記キャビティに通じた複数の放射スロットと、一方の端部が前記取付面において開口し、その開口から前記放射面に対して平行な方向に延設されるよう前記導電性ボディの内部に形成された第１の中空導波路と、前記第１の中空導波路の他方の端部から前記放射面に向かって前記キャビティまで延設されるよう前記導電性ボディの内部に形成された第２の中空導波路と、を備えるスロットアレイアンテナが明らかとなる。
【００１２】
以上によれば、キャビティが放射面下において空洞となり、第２の中空導波路が放射面に向かってキャビティまで延設されているため、放射面に垂直な取付面を大きくすることができる。よって、取付面に部材を取り付けやすい。
【００１３】
一対の導電性突出部が前記キャビティの互いに対向する側面から互いに向かい合う方向に突出する。
【００１４】
以上によれば、キャビティまで伝播した電磁波の反射を抑制できる。
【００１５】
前記導電性ボディが、前記放射面を有するとともに前記放射面の反対側の表面に凹部が形成された板状の導体部材と、前記凹部に覆い被さるように前記凹部が形成された前記導体部材の表面に接合されることによって前記凹部を前記キャビティに形成するとともに、前記取付面を有する導電性本体部と、を有し、前記第１の中空導波路の一方の端部が前記取付面において開口し、前記第１の中空導波路がその開口から前記取付面に対して垂直な方向に延設されるよう前記導電性本体部の内部に形成され、前記第２の中空導波路が前記第１の中空導波路の他方の端部から前記導電性本体部の前記導体部材との接合面に向かって延設されるよう前記導電性本体部の内部に形成され、前記第２の中空導波路の前記キャビティに近い方の端部が前記キャビティ内において前記導電性本体部の前記導体部材との接合面に開口する。
【００１６】
以上によれば、導体部材と導電性本体部を組み立てるだけで、導電性ボディの内部にキャビティを形成することができる。
【００１７】
一対の導電性突出部が前記凹部の互いに対向する側面から互いに向かい合う方向に突出する。
好ましくは、前記一対の導電性突出部が前記導電性本体部に接触する。
【００１８】
以上によれば、凹部によるキャビティまで伝播した電磁波の反射を抑制できる。
【００１９】
前記導電性本体部が、前記放射面の反対側の前記導体部材の表面に接合される第２の導体部材と、前記第２の導体部材に関して前記導体部材の反対側において前記第２の導体部材に接合される第３の導体部材と、を有し、一対の溝が前記第２の導体部材と前記第３の導体部材のそれぞれの接合面に凹設され、前記一対の溝の各々が互いに向き合った状態で前記第２の導体部材と前記第３の導体部材が接合されることによって前記一対の溝が前記第１の中空導波路となる。
【００２０】
以上によれば、第２の導体部材と第３の導体部材を組み立てるだけで、導電性ボディの内部に第１の中空導波路を形成することができる。
【００２１】
前記一対の溝の各々が断面矩形状であり、前記一対の溝の各々の幅が互いに等しく、前記一対の溝の各々の深さが互いに等しく、前記一対の各々の溝の深さは前記一対の溝の各々の幅の２分の１よりも大きい。
【００２２】
以上によれば、一対の溝の各々の深さは一対の溝の各々の幅の２分の１よりも大きいため、一対の溝の底が第１の中空導波路の狭壁面となり、一対の溝の側面が第１の中空導波路の広壁面となる。第１の中空導波路内を電磁波が進行すると、第１の中空導波路の周方向の電流が第２及び第３の導体部材に発生するが、第２の導体部材に発生する電流の向きと第３の導体部材に発生する電流の向きが逆向きになる。従って、第２の導体部材と第３の導体部材の接合面では電流が打ち消し合う。それゆえ、接合面が電流の流れに影響を及ぼさない上、接合面以外の部分では電流の不連続性が生じない。よって、電磁波の伝播に損失が発生しにくい。
【００２３】
前記第２の中空導波路が前記一対の溝のうち前記第２の導体部材の前記接合面に形成された溝の底から前記第２の導体部材と前記導体部材との接合面まで貫通している。
【００２４】
＝＝＝実施の形態＝＝＝
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００２５】
図１は、スロットアレイアンテナ１を俯瞰した斜視図である。図２は、スロットアレイアンテナ１を分解して俯瞰した斜視図である。図３は、スロットアレイアンテナ１を分解して下から見た斜視図である。図４は、下層の導体部材２０の上面図である。図５は、中間層の導体部材３０の下面図である。図６は、中間層の導体部材３０の上面図である。図７は、上層の導体部材４０の下面図である。図８は、上層の導体部材４０の上面図である。図９は、スロットアレイアンテナ１の縦断面図である。
【００２６】
スロットアレイアンテナ１は導電性ボディ１０及びフランジ６０を備える。
導電性ボディ１０は直方体状に成している。導電性ボディ１０は導体部材２０，３０，４０のスタック（積層体）である。導体部材２０及び導体部材３０はソリッドな直方体型の導電性部材であり、導体部材４０がソリッドな板状の導電性部材である。導体部材２０の上側接合面２２が導体部材３０の下側接合面３１に突き合わせられ、導体部材３０の上側接合面３２が導体部材４０の下側接合面４１に突き合わせられ、これら導体部材２０，３０，４０がねじ等の締結部材７０によって締結されている。なお、導体部材２０，３０，４０の接合は締結部材７０による締結以外であってもよく、例えば拡散接合又は溶接を適用してもよい。
【００２７】
以下では、導体部材４０を第１の導体部材４０と、導体部材３０を第２の導体部材３０と、導体部材２０を第３の導体部材２０と呼称する。第２の導体部材３０と第３の導体部材２０の接合体は導電性本体部である。
【００２８】
導体部材２０，３０，４０がスタックされた状態では、導体部材２０，３０，４０の前面２３，３３，４３が面一となっているため、導電性ボディ１０の前面が平面状に形成されている。導電性ボディ１０の前面は、フランジ６０が取り付けられる取付面である。導電性ボディ１０の前面には、給電ポート１１（図９参照）が形成されている。
【００２９】
導電性ボディ１０の上面、つまり第１の導体部材４０の上面４２が平面状に形成されている。導電性ボディ１０が直方体状であるので、導電性ボディ１０の前面が導電性ボディ１０の上面に対して垂直である。第１の導体部材４０の上面４２は放射面であり、その上面４２には複数、具体的には４つの矩形状の放射スロット４７が形成されている。これら放射スロット４７が格子状に配列されている。
【００３０】
この導電性ボディ１０の内部には、溝２４，３４からなる第１の中空導波路と、貫通孔３６からなる第２の中空導波路と、キャビティ４８とが形成されている。高周波電力がキャビティ４８、第２の中空導波路及び第１の中空導波路を通じて放射スロット４７と給電ポート１１の間で供給される。以下、キャビティ４８、第１の中空導波路及び第２の中空導波路について詳細に説明する。
【００３１】
第１の導体部材４０の下側接合面４１には矩形状の凹部４４が形成され、放射スロット４７が第１の導体部材４０の上面４２から凹部４４まで穿設されている。第２の導体部材３０が第１の導体部材４０の下から凹部４４に覆い被さって、第１の導体部材４０の下側接合面４１と第２の導体部材３０の上側接合面３２が互いに接合されている。これにより凹部４４が第２の導体部材３０の上側接合面３２によって密閉されて、その凹部４４が第１の導体部材４０の上面４２下においてキャビティ４８となっている。キャビティ４８は空洞共振器として機能する。
【００３２】
導電性突出部４５が凹部４４の左側面の中央に凸設され、導電性突出部４６が凹部４４の右側面の中央に凸設され、これら導電性突出部４５，４６が互いに向かい合う方向に突出している。具体的には、導電性突出部４５は、凹部４４の左側面からその左側面の中央に近い２つの放射スロット４７の間の位置まで右方に突出し、導電性突出部４６は、凹部４４の右側面のうち導電性突出部４５に対向する位置からその右側面の中央に近い２つの放射スロット４７の間の位置まで左方に突出する。第１の導体部材４０を下から見て、導電性突出部４５，４６を結ぶ線によって凹部４４が２つの領域によって等分されるが、２つの放射スロット４７が一方の領域内に配置され、他の２つの放射スロット４７が他方の領域に配置されている。導電性突出部４５，４６によってキャビティ４８が絞られることとなり、その絞られた部分がアイリスとなる。導電性突出部４５，４６は第２の導体部材３０の上側接合面３２に当接する。導電性突出部４５，４６が形成されることによって電磁波の反射を抑制することできる。ここでいう電磁波の反射とは、外部から放射スロット４７を通じてキャビティ４８内に伝播した電磁波が放射スロット４７を通じて外部に戻ること、或いは、第２の中空導波路を通じてキャビティ４８内に伝播した電磁波が第２の中空導波路に戻ることをいう。
【００３３】
断面矩形状の溝２４が第３の導体部材２０の上側接合面２２に凹設され、断面矩形状の溝３４が第２の導体部材３０の下側接合面３１に凹設されている。溝２４が前後方向に延設され、溝３４が前後方向に延設されている。溝２４と溝３４が互いに向き合った状態で、第３の導体部材２０の上側接合面２２と第２の導体部材３０の下側接合面３１とが互いに接合されている。溝２４の幅が溝３４の幅に等しく、溝２４と溝３４は幅方向の位置が揃っており、溝２４，３４の片側の側面同士が面一となっており、反対側の側面同士が面一となっている。従って、溝２４と溝３４からなる断面矩形状の中空が形成されており、その中空が第１の中空導波路となる。溝２４の深さと溝３４の深さが等しく、溝２４，３４の深さは溝２４，３４の幅の２分の１よりも大きい。よって、溝２４，３４の面一となった側面の総幅は溝２４，３４の底の幅よりも大きく、溝２４，３４の面一となった側面が広壁面であり、溝２４，３４の底が狭壁面である。
【００３４】
溝２４の前端が第３の導体部材２０の前面２３において開口し、溝３４の前端が第２の導体部材３０の前面３３において開口している。そのため、溝２４，３４からなる第１の中空導波路が導体部材２０，３０の前面において開口するが、その矩形状の開口が給電ポート１１となる。この給電ポート１１はフランジ６０の開口６１に電磁界的に結合する。溝２４，３４からなる第１の中空導波路は、給電ポート１１から第１の導体部材４０の上面４２に対して平行な方向に延設されている。
【００３５】
高周波電力がフランジ６０の開口６１を介して給電ポート１１に供給されると、電磁波が溝２４，３４からなる第１の中空導波路内を進行する。その電磁波により図１０に示すような電界分布が第１の中空導波路内に発生する。第１の中空導波路内の電界の向きが広壁面に対して垂直となり、第１の中空導波路内の磁界は広壁面に平行に発生し、電界の向きと磁界の向きが直交する。また、電流が第１の中空導波路の周方向に第３の導体部材２０及び第２の導体部材３０に発生し、第３の導体部材２０に発生する電流の向きと第２の導体部材３０に発生する電流の向きが逆向きなる。そのため、接合面２２，３１では電流が打ち消し合う。それゆえ、接合面２２，３１が電流の流れに影響を及ぼさない上、接合面２２，３１以外の部分では電流の不連続性が生じない。よって、第１の中空導波路内における電磁波の伝播に損失が発生しにくい。
【００３６】
溝２４の底には、複数の導電性突出部２５が凸設されている。導電性突出部２５は、溝２４の底から接合面２２，３１と面一な第１の中空導波路の中心面に向かって突出している。導電性突出部２５は溝２４の片側の側面から反対側の側面まで溝２４の底を横切っている。
【００３７】
溝３４の底には、複数の導電性突出部３５が凸設されている。導電性突出部３５は、溝３４の底のうち導電性突出部２５に対向する位置から第１の中空導波路の中心面に向かって突出している。導電性突出部３５は溝３４の片側の側面から反対側の側面まで溝３４の底を横切っている。導電性突出部２５と導電性突出部３５は第１の中空導波路の中心面に関して互いに面対称である。以上のような導電性突出部２５，３５によって第１の中空導波路が絞られており、その絞られた部分がアイリスとなる。これにより、第１の中空導波路を進行する電磁波の反射が低減される。
【００３８】
貫通孔３６が溝３４の後端部の底から第２の導体部材３０の上側接合面３２まで穿設されている。貫通孔３６の下端が溝３４の底にて、つまり第１の中空導波路の狭壁面にて開口している。そのため、貫通孔３６内の電磁界が溝２４，３４内の電磁界に結合しており、第１の中空導波路と第２の中空導波路が成す角部がＨ面コーナーである。よって、第１の中空導波路の後端部まで進行した電磁波の進行方向がＨ面コーナーによって上向きに変換される。ここで、溝２４の後端部の底に導電性突出部２６が形成されており、この導電性突出部２６は第１の中空導波路の後端部まで進行した電磁波の進行方向を上向きに変換するのに寄与する。
【００３９】
貫通孔３６の断面形状における左右方向の長さは、溝２４，３４からなる中空導波路の断面形状における左右方向の長さよりも短い。また、貫通孔３６の断面形状は、前後方向の長さが左右方向の長さよりも大きい角丸長方形である。従って、貫通孔３６の前後の内面が狭壁面であり、貫通孔３６の左右の内面が広壁面である。貫通孔３６の前側の内面には導電性突出部３７が凸設され、貫通孔３６の後ろ側の内面には導電性突出部３８が凸設されている。導電性突出部３７は貫通孔３６の前側の内面から後ろに向かって突出している。導電性突出部３８は、貫通孔３６の後ろ側の内面のうち導電性突出部３７に対向する位置から前に向かって突出する。導電性突出部３７，３８によって貫通孔３６が絞られており、その絞られた部分がアイリスとなる。これにより、貫通孔３６を進行する電磁波の反射が低減される。
【００４０】
貫通孔３６の上端が平面視でキャビティ４８の中央において第２の導体部材３０の上側接合面３２に開口する。そのため、貫通孔３６内の電磁界がキャビティ４８内の電磁界に結合している。
以上のように形成された貫通孔３６は、溝２４，３４からなる第１の中空導波路の後端部から放射面４２に向かってキャビティ４８まで延設されるよう第２の導体部材３０の内部に形成された第２の中空導波路である。
【００４１】
貫通孔３６内を上向きに進行した電磁波がキャビティ４８内にて共振した上で、各放射スロット４７に分配される。そして、電磁波が各放射スロット４７を通じて外部に放射される。
【００４２】
なお、スロットアレイアンテナ１は受信にも利用できる。つまり、外部から各放射スロット４７に入射した電磁波の電力がキャビティ４８内にて合成されて、更にその電磁波がキャビティ４８内にて共振する。その電磁波が貫通孔３６内を下向きに進行した上で、その電磁波の進行方向がＨ面コーナー及び導電性突出部２６によって前向きに変換される。そして、電磁波が溝２４，３４からなる第１の中空導波路の後端部から前向きに進行して、給電ポート１１及び開口６１から出力される。
【００４３】
以上の実施形態によれば、キャビティ４８が導電性ボディ１０の放射面下において、つまり第１の導体部材４０の上面４２下において前後左右に広がった状態に形成されている。それゆえ、導電性ボディ１０の前面を左右に大きくすることができる。また、貫通孔３６からなる第２の中空導波路が上下方向に延設されるよう導電性ボディ１０の内部に、具体的には第２の導体部材３０の内部に形成されている。それゆえ、導電性ボディ１０の前面を上下に大きくすることができる。従って、フランジ６０を導電性ボディ１０の前面に取り付けやすい。具体的には、雌ねじの設置スペースを導電性ボディ１０の前面に確保することができ、雄ねじによってフランジ６０を導電性ボディ１０の前面に締結することができる。
【００４４】
凹部４４が第１の導体部材４０の下側接合面４１に形成されているため、第１の導体部材４０と第２の導体部材３０を組み立てるだけで、キャビティ４８を導電性ボディ１０の内部に簡単に形成することができる。第１の導体部材４０を切削加工すれば、凹部４４や放射スロット４７を第１の導体部材４０に簡単に形成することができる。
【００４５】
貫通孔３６の上端が第２の導体部材３０の上側接合面３２で開口しているため、第１の導体部材４０と第２の導体部材３０を組み立てるだけで、キャビティ４８に通じた第２の中空導波路を導電性ボディ１０の内部に簡単に形成することができる。第２の導体部材３０を切削加工すれば、貫通孔３６及び導電性突出部３７，３８を第２の導体部材３０に簡単に形成することができる。
【００４６】
溝３４が第２の導体部材３０の下側接合面３１に形成され、溝２４が第３の導体部材２０の上側接合面２２に形成されているため、第２の導体部材３０と第３の導体部材２０を組み立てるだけで、第１の中空導波路を導電性ボディ１０の内部に簡単に形成することができる。第２の導体部材３０を切削加工すれば、溝３４及び導電性突出部３５を第２の導体部材３０に簡単に形成することができる。第３の導体部材２０を切削加工すれば、溝２４及び導電性突出部２５を第３の導体部材２０に簡単に形成することができる。
【００４７】
切削加工と組立作業によりスロットアレイアンテナ１を簡単に製造することができる。
【００４８】
溝２４，３４からなる第１の中空導波路の断面形状が縦長の長方形状であるため、導電性ボディ１０の前面を上下に大きくすることができ、フランジ６０を導電性ボディ１０の前面に取り付けやすい。
【００４９】
第１の中空導波路と第２の中空導波路が成す角部がＨ面コーナーであるため、第１の中空導波路の断面形状を縦長とした上で、第２の中空導波路を上下に延設することができる。これは、導電性ボディ１０の前面を上下に大きくすることに寄与する。よって、フランジ６０を導電性ボディ１０の前面に取り付けやすい。
【符号の説明】
【００５０】
１…スロットアレイアンテナ
１０…導電性ボディ
２０…第３の導体部材
２４，３４…溝（一対の溝、第１の中空導波路）
３０…第２の導体部材
３６…貫通孔（第２の中空導波路）
４０…第１の導体部材
４２…上面（放射面）
４４…凹部
４５，４６…導電性突出部
４７…放射スロット
４８…キャビティ
【図１】
2019220769.tif 000003
【図２】
2019220769.tif 000004
【図３】
2019220769.tif 000005
【図４】
2019220769.tif 000006
【図５】
2019220769.tif 000007
【図６】
2019220769.tif 000008
【図７】
2019220769.tif 000009
【図８】
2019220769.tif 000010
【図９】
2019220769.tif 000011
【図１０】
2019220769.tif 000012